(57)【要約】【課題】飲用前にはキャップを確実に壜口部を封止することができ、また飲用後のラムネ壜からキャップを容易に取り外すことができる、環境問題に配慮したラムネ壜の口部構造を提供する。【解決手段】口部外周に係合凹部３０ａとリング状ビード３０ｂを設けた壜本体３０に、内部に球体３を保持する中栓２と全周にわたり等間隔で形成される口部係合片４とを備えた樹脂製のキャップ本体１を、前記係合凹部３０ａと口部係合片４の係合により一体化するラムネ壜の口部構造であって、キャップ本体１により前記口部係合片４の開きを防止するとともに、キャップ本体１の一部に切欠部５を設け、該切欠部５にキャップ取り外し用治具２０の挿入を可能とした。【選択図】  図１
2005008213.tif 000002
【特許請求の範囲】
【請求項１】
口部外周に係合凹部とリング状ビードを設けた壜本体に、内部に球体を保持する中栓と全周にわたり等間隔で形成される口部係合片とを備えた樹脂製のキャップ本体を、前記係合凹部と口部係合片の係合により一体化するラムネ壜の口部構造であって、キャップ本体により前記口部係合片の開きを防止するとともに、キャップ本体の一部に切欠部を設け、該切欠部にキャップ取り外し用治具の挿入を可能としたことを特徴とするラムネ壜の口部構造。
【請求項２】
中栓により保持された球体がキャップ本体内に完全に収納されている請求項１に記載のラムネ壜の口部構造。
【請求項３】
切欠部が切断容易部により連結した遮蔽部材により覆われている請求項１または２に記載のラムネ壜の口部構造。
【請求項４】
口部外周に係合凹部とリング状ビードを設けた壜本体に、内部に球体を保持する中栓と全周にわたり等間隔で形成される口部係合片とを備えた樹脂製のキャップ本体を、前記係合凹部と口部係合片の係合により一体化するラムネ壜の口部構造であって、キャップ本体により前記口部係合片の開きを防止するとともに、リング状ビードをキャップ本体の下端との間に隙間部が形成されるように低い位置に設け、該隙間部にキャップ取り外し用治具の挿入を可能としたことを特徴とするラムネ壜の口部構造。
【請求項５】
中栓により保持された球体がキャップ本体内に完全に収納されている請求項４に記載のラムネ壜の口部構造。
【発明の詳細な説明】
【０００１】
【発明の属する技術分野】
本発明は、壜を正立させた状態で充填する正立充填式のラムネ壜に用いられる壜とキャップを組み合わせ一体化したラムネ壜の口部構造に関するものである。
【０００２】
【従来の技術】
【特許文献１】特許第３１０４０６１号公報
【０００３】
正立充填式のラムネ壜の口部構造として、従来から図８に示す構造のものが知られている。これは口部外周に係合凹部３１を設けた壜本体３０に、内部に球体３を保持する軟質の中栓３２を備えた樹脂製のキャップ本体３３を組み合わせ一体化したものである。キャップ本体３３と中栓３２とは両者間の凹凸部３４を利用して、あるいはキャップ本体３３と中栓３２とを２色成形することにより一体化されている。また、キャップ本体３３は壜口部の係合凹部３１に強固に嵌合できる係合部３５を備え、正立充填されたラムネ壜の壜口部に打栓機により打栓されている。
【０００４】
ところがこのような従来のラムネ壜の口部構造は、キャップ本体３３が内圧に耐え得るように強固に壜本体３０の口部に嵌合されているため、飲用後にラムネ壜を廃棄する際に壜口部から取り外すことはきわめて困難であった。このためキャップがラムネ壜の分別回収の障害となり、ラムネ壜をリサイクルすることができないという問題があった。なお飲用後のキャップの取り外しを容易にするためにキャップと壜口部との嵌合を甘くすると、内圧によりキャップ全体が飛ぶ危険があるため、このような手段は採用することはできない。
【０００５】
一方、特許文献１に示されるように、飲用後のキャップの取り外しを容易にしてラムネ壜のリサイクルを図ったものも提案されている。しかしながら、キャップ本体の頂部外面に破断促進用の溝を設けた構造であるため、飲用時に唇に対して違和感を与えるという問題点があった。
【０００６】
【発明が解決しようとする課題】
本発明は上記した従来の問題点を解決して、飲用前にはキャップを確実に壜口部を封止することができ、また飲用後のラムネ壜からキャップを容易に取り外すことができ、更には飲用時においても違和感を感じさせることのない、環境問題に配慮したラムネ壜の口部構造を提供するためになされたものである。
【０００７】
【課題を解決するための手段】
上記の課題を解決するためになされた本発明は、口部外周に係合凹部とリング状ビードを設けた壜本体に、内部に球体を保持する中栓と全周にわたり等間隔で形成される口部係合片とを備えた樹脂製のキャップ本体を、前記係合凹部と口部係合片の係合により一体化するラムネ壜の口部構造であって、キャップ本体により前記口部係合片の開きを防止するとともに、キャップ本体の一部に切欠部を設け、該切欠部にキャップ取り外し用治具の挿入を可能としたことを特徴とするラムネ壜の口部構造を第１の発明とする。
また、口部外周に係合凹部とリング状ビードを設けた壜本体に、内部に球体を保持する中栓と全周にわたり等間隔で形成される口部係合片とを備えた樹脂製のキャップ本体を、前記係合凹部と口部係合片の係合により一体化するラムネ壜の口部構造であって、キャップ本体により前記口部係合片の開きを防止するとともに、リング状ビードをキャップ本体の下端との間に隙間部が形成されるように低い位置に設け、該隙間部にキャップ取り外し用治具の挿入を可能としたことを特徴とするラムネ壜の口部構造を第２の発明とする。
【０００８】
本発明のラムネ壜の口部構造は、キャップ側の係合凹部と壜本体側の口部係合片の係合により一体化したものであるが、口部係合片の外周に設けられたキャップ本体が内圧による口部係合片の外側への開きを防止しているため、飲用前には従来品と同様に確実に壜口部を封止することができる。また、飲用後に隙間部にキャップ取り外し用治具を挿入してキャップ本体を持上げれば、口部係合片と係合凹部の係合が解かれるので、キャップを壜口部から分離して取り外すことができる。
【０００９】
【発明の実施の形態】
以下に本発明の好ましい実施形態を示す。
図１から図５は第１の発明の実施形態を示すもので、３０はガラス製または樹脂製のラムネ壜の壜本体であり、口部外周の上端には従来と同様のリング状の係合凹部３０ａが形成されている。また、口部上方部にはリング状ビード３０ｂが形成されている。１は樹脂製のキャップ本体であり、前記係合凹部３０ａを利用して壜口部に強固に嵌合されるものであって、ガラス製または樹脂製の球体３と、この球体３を保持している中栓２を有している。
【００１０】
キャップ本体１は、ポリプロピレン等の比較的硬質で強度の大きい樹脂からなり、中栓２はポリエチレン等の比較的軟質の樹脂からなる。
この実施形態では中栓２は２色成形（インサート一体成形）法によってキャップ本体１と密着一体化されているが、中栓２とキャップ本体１とを個別に成形した後に組み立ててもよい。本発明のキャップはラムネ壜を正立させた状態で充填した後、打栓機により壜口部に打栓され、内圧により押し上げられる球体３が中栓２に密着することによりシール機能を発揮する。なお飲用時には球体３を強制的に下方に押し込み中栓２から壜内に落下させればよいことは、従来と同様である。
【００１１】
キャップ本体１の内部には、口部係合片４が全周にわたり等間隔で一体に形成されている。口部係合片４は、壜口部の係合凹部３０ａと係合する係合凸部４ａを下端部に備えており、打栓機により打栓されたときに壜口部に強固に係合できるようになっている。この実施形態では、図２に示されるように、８個の口部係合片４が全周にわたり等間隔で一体に形成されているが、口部係合片４の個数、形状等については任意のものとすることができる。
【００１２】
前記口部係合片４は、等間隔に形成された板状のものであるため外側に開き易く、壜口部から外し易いものであるが、その反面、内圧によりキャップ全体に作用する押し上げ力によっても外側に開くおそれがある。そこで、本発明では外側に位置するキャップ本体１の周壁によって、内圧による口部係合片４の開きを完全に防止し、密封性を確保している。
【００１３】
一方、キャップ本体１の一部には切欠部５が設けられているので、飲用後においては図５に示されるように、該切欠部５に例えばドライバ先端のようなキャップ取り外し用治具２０を挿入し、時計方向周りに引き上げれば、口部係合片４の係合凸部４ａと壜口部の係合凹部３０ａの係合が外れて、キャップ本体１を壜口部から容易に取り外すことができる。
【００１４】
この実施形態では、図３に示されるように、前記切欠部５は長方形状の孔部としてあるが、半円形状・半楕円形状・台形状など任意の形状とすることができることは勿論である。
また、図４に示されるように、切欠部５が切断容易部により連結した遮蔽部材６により覆われているものとすることもでき、この場合には通常状態においては切欠部５が遮蔽された状態にあり優れた外観品質を確保でき好ましい。そして飲用後においては該切欠部５を引き上げた後、キャップ取り外し用治具２０を挿入してキャップ本体１を壜口部から容易に取り外すことができる。
【００１５】
なお、中栓２によって保持された球体３はキャップ本体１内に完全に収納されたものとなっている。これは、ラムネの充填ラインにおいてキャップはエアにより圧送されており、輸送中においてキャップどうしがぶつかり合った場合等に、球体３がキャップ本体１から突出していると球体３が破損したり中栓２から離脱したりする現象が生じるおそれがある。従って、球体３の下端位置がキャップ本体１の下端位置よりも突出しないように、球体３をキャップ本体１内に完全に収納したものとしておくことが好ましい。
【００１６】
図６〜図７は第２の発明の実施形態を示すもので、図６は壜本体１への装着状態を示す断面図、図７はキャップ本体１を取り外す状態を示す説明図である。
第１の実施形態ではキャップ本体１の一部に切欠部５を設けたものであったのに対して、この第２の実施形態ではリング状ビード３０ｂをキャップ本体１の下端との間に隙間部が形成されるように低い位置に設け、該隙間部にキャップ取り外し用治具２０の挿入を可能としたものとなっており、そのたの条件は第１の発明と同じである。
【００１７】
この第２の実施形態の構造は、図６に示されるように、リング状ビード３０ｂをキャップ本体１の下端との間に、キャップ取り外し用治具２０が挿入できるだけの距離（ｓ）の隙間部を形成するように、低い位置に設けるものであり、安価に製造することができる。
【００１８】
このように本発明のラムネ壜の口部構造は、飲用後においてキャップ本体１をキャップ取り外し用治具２０を利用してラムネ壜本体１の壜口部から容易に取り外すことができるので、ラムネ壜とキャップとを分別ゴミとして出すことができる。特にラムネ壜がガラス製である場合には、回収されたラムネ壜を洗壜して何度も再使用することができ、リサイクルが可能となる。
【００１９】
【発明の効果】
以上に述べた本発明の効果を要約すると下記のとおりである。
▲１▼  飲用後に、壜口部からキャップを容易に取り外すことができる。これにより壜とキャップとの分別回収やラムネ壜のリサイクルが可能となるから、環境配慮型の商品とすることができる。
▲２▼  飲用前は筒体が口部係合片の開きを拘束しているため、内圧によりキャップが飛び出す危険はない。
▲３▼  従来と同様に正立充填が可能であり、また球体を壜内に落とすことにより従来品と同様にラムネを飲用することができる。
▲４▼  キャップの頂部外面に破断促進用の溝等がなく、飲用時に唇に対して違和感を与えることがない。
【図面の簡単な説明】
【図１】第１の発明の実施形態を示す中央縦断面図である。
【図２】図１のＡ−Ａ断面図である。
【図３】キャップ本体の正面図である。
【図４】その他のキャップ本体の正面図である。
【図５】キャップ本体を取り外す状態を示す説明図である。
【図６】第２の発明の実施形態を示す中央縦断面図である。
【図７】キャップ本体を取り外す状態を示す説明図である。
【図８】従来例を示す中央縦断面図である。
【符号の説明】
１  キャップ本体
２  中栓
３  球体
４  口部係合片
５  切欠部
１０  キャップ取り外し用治具
３０  壜本体
３０ａ  係合凹部
３０ｂ  リング状ビード
【図１】
2005008213.tif 000003
【図２】
2005008213.tif 000004
【図３】
2005008213.tif 000005
【図４】
2005008213.tif 000006
【図５】
2005008213.tif 000007
【図６】
2005008213.tif 000008
【図７】
2005008213.tif 000009
【図８】
2005008213.tif 000010